(57)【要約】【課題】発光装置の発光特性の変化を抑制することができる技術を提供する。【解決手段】本発明の発光装置は、基板と、前記基板の上に設けられた複数の光源部と、前記基板の上に設けられた、各光源部を囲む隔壁部材と、互いに隣接する２つ以上の光源部の間の境界部分に配置され、前記基板と前記隔壁部材とを固定する固定部材と、を有する。【選択図】図１
2017037832.tif 000002
【特許請求の範囲】
【請求項１】
基板と、
前記基板の上に設けられた複数の光源部と、
前記基板の上に設けられた、各光源部を囲む隔壁部材と、
互いに隣接する２つ以上の光源部の間の境界部分に配置され、前記基板と前記隔壁部材とを固定する固定部材と、
を有することを特徴とする発光装置。
【請求項２】
前記２つ以上の光源部の間の境界部分において、前記隔壁部材と前記基板とによって空間が形成されており、
前記固定部材は、前記空間に設けられている
ことを特徴とする請求項１に記載の発光装置。
【請求項３】
前記固定部材の一端に、前記基板に固定される第１固定部が設けられており、
前記固定部材の他端に、前記隔壁部材に固定される第２固定部が設けられている
ことを特徴とする請求項１または２に記載の発光装置。
【請求項４】
前記隔壁部材は、前記固定部材が設けられる位置に開口を有し、
前記第２固定部は、前記隔壁部材の前記開口を通って、前記隔壁部材を挟持する
ことを特徴とする請求項３に記載の発光装置。
【請求項５】
前記固定部材は、
一端に前記第１固定部が設けられ、かつ、他端に第１ネジ部が設けられた第１部材と、
前記第１部材に設けられた前記第１ネジ部に螺合される第２ネジ部を有する第２部材と、
を有し、
前記隔壁部材の前記開口を通って、前記第１部材の前記第１ネジ部に前記第２部材の前記第２ネジ部を螺合することにより、前記隔壁部材が挟持される
ことを特徴とする請求項４に記載の発光装置。
【請求項６】
前記基板は、前記固定部材が設けられる位置に第３ネジ部を有し、
前記第１固定部は、前記基板の前記第３ネジ部に螺合される第４ネジ部である
ことを特徴とする請求項３〜５のいずれか１項に記載の発光装置。
【請求項７】
前記隔壁部材の上に設けられた光学部材を更に有し、
前記光学部材は、前記第２固定部に接着されて固定される
ことを特徴とする請求項３〜６のいずれか１項に記載の発光装置。
【請求項８】
前記隔壁部材の上に設けられた光学部材を更に有し、
前記固定部材の一端に、前記基板に固定される第１固定部が設けられており、
前記固定部材の他端に、前記隔壁部材および前記光学部材に固定される第２固定部が設けられている
ことを特徴とする請求項１または２に記載の発光装置。
【請求項９】
前記隔壁部材および前記光学部材は、前記固定部材が設けられる位置に開口を有し、
前記第２固定部は、前記隔壁部材および前記光学部材の前記開口を通って、前記隔壁部材および前記光学部材を挟持する
ことを特徴とする請求項８に記載の発光装置。
【請求項１０】
前記固定部材は、
一端に前記第１固定部が設けられ、かつ、他端に第１ネジ部が設けられた第１部材と、
前記第１部材に設けられた前記第１ネジ部に螺合される第２ネジ部を有する第２部材と、
を有し、
前記隔壁部材および前記光学部材の前記開口を通って、前記第１部材の前記第１ネジ部に前記第２部材の前記第２ネジ部を螺合することにより、前記隔壁部材および前記光学部材が挟持される
ことを特徴とする請求項９に記載の発光装置。
【請求項１１】
前記基板は、前記固定部材が設けられる位置に第３ネジ部を有し、
前記第１固定部は、前記基板の前記第３ネジ部に螺合される第４ネジ部である
ことを特徴とする請求項８〜１０のいずれか１項に記載の発光装置。
【請求項１２】
前記固定部材は、前記光学部材から前記発光装置の発光方向側に突出しない
ことを特徴とする請求項８〜１１のいずれか１項に記載の発光装置。
【請求項１３】
前記光学部材の前記固定部材が設けられる位置に、前記固定部材が前記光学部材から前記発光方向側に突出しないように、凹部が形成されている
ことを特徴とする請求項１２に記載の発光装置。
【請求項１４】
前記固定部材は、複数の部材によって構成されている
ことを特徴とする請求項１〜１３のいずれか１項に記載の発光装置。
【請求項１５】
前記複数の光源部は、Ｎ行Ｍ列（ＮとＭは、それぞれ、２以上の整数）のマトリクス状に配置されており、
前記固定部材は、２行２列の光源部の中央部に設けられている
ことを特徴とする請求項１〜１４のいずれか１項に記載の発光装置。
【請求項１６】
前記隔壁部材は、ＰＥＴ（ポリエチレンテレフタレート）製シート、あるいは、ＰＣ（ポリカーボネート）製シートである
ことを特徴とする請求項１〜１５のいずれか１項に記載の発光装置。
【請求項１７】
前記固定部材を複数有し、
横方向に互いに隣接する２つの固定部材の間隔は、縦方向に互いに隣接する２つの固定部材の間隔よりも長い
ことを特徴とする請求項１〜１６のいずれか１項に記載の発光装置。
【請求項１８】
発光部と、
前記発光部から発せられた光を変調することで画像を表示する表示部と、
を有し、
前記発光部は、
基板と、
前記基板の上に設けられた複数の光源部と、
前記基板の上に設けられた、各光源部を囲む隔壁部材と、
互いに隣接する２つ以上の光源部の間の境界部分に配置され、前記基板と前記隔壁部材とを固定する固定部材と、
を有する
ことを特徴とする画像表示装置。
【発明の詳細な説明】
【技術分野】
【０００１】
本発明は、発光装置および画像表示装置に関する。
【背景技術】
【０００２】
従来、液晶表示装置用のバックライト装置の光源として冷陰極蛍光管（ＣＣＦＬ）が用いられてきたが、近年、光源として発光ダイオード（ＬＥＤ）を用いたバックライト装置が増えてきている。ＬＥＤは点光源であるため、バックライト装置の光源としてＬＥＤを用いる場合には、ＬＥＤの配置、光の拡散構造、光の反射構造などを工夫して、バックライト装置から発せられた光の輝度ムラや色ムラの発生を抑制する必要がある。特に、赤色、緑色、青色など複数色のＬＥＤを用いたバックライト装置では、白色ＬＥＤを用いたバックライト装置よりも縞模様や格子模様の輝度ムラや色ムラが生じやすいため、ＬＥＤの配置、光の拡散構造、光の反射構造などに工夫が必要である。
【０００３】
また、ＬＥＤが点光源であることを利用して、ＬＥＤの発光輝度を個別に制御することでバックライト装置の発光輝度を部分的に変更し、表示画像（表示された画像）のコントラストを高める技術がある。このような発光輝度の制御は、一般的にローカルディミング制御と呼ばれている。ローカルディミング制御では、画面の領域を構成する複数の分割領域のそれぞれについて、画像データの輝度値を分析し、対応する光源部の発光輝度を輝度値の分析結果に基づいて制御する処理が行われる。それにより、表示画像のコントラストが向上される。
【０００４】
表示画像のコントラストをさらに高めるための構造として、複数の分割領域に対応する複数の光源部のそれぞれを囲む隔壁部材を用いた構造が提案されている。隔壁部材は、「複数の光源部のそれぞれについて、その光源部を他の光源部から隔てる部材」と言うこともできる。このような構造により、互いに隣接する分割領域間でのＢＬ輝度（バックライト装置の発光輝度）の差をさらに高めることができ、表示画像のコントラストをさらに高めることができる。また、表面の光反射率が高い隔壁部材を使用することにより、互いに隣接する分割領域間でのＢＬ輝度の差をさらに高めることができ、表示画像のコントラストをさらに高めることができる。
【０００５】
しかしながら、分割領域から他の分割領域に向かう光線が隔壁部材によって遮られるため、隔壁部材が設けられた領域およびその近傍において、他の領域に比べ低い輝度にＢＬ輝度が低下する（輝度ムラの発生）。また、光の波長が互いに異なる複数の光源を各光源部が有する場合には、色分離が発生し、隔壁部材が設けられた領域およびその近傍におけるＢＬ色（バックライト装置の発光色）が他の領域におけるＢＬ色と異なる色ムラが発生する。
【０００６】
これらの課題を解決する方法は、例えば、特許文献１に開示されている。特許文献１に記載の技術では、入射された光に光学的な変化を与える光学部材と、入射された光を拡散する拡散部材とが使用されている。光学部材は、隔壁部材から離れた位置に設けられており、拡散部材は、隔壁部材上に設けられている。各光源部から発せられた光は、拡散部材によって拡散された後、光学部材に入射される。各光源部から発せられた光が拡散部材によって拡散されることにより、色分離の発生と、色ムラの発生とを低減することができる。
【０００７】
また、特許文献１に開示の技術では、隔壁部材と拡散部材を固定する固定部材が使用されている。さらに、特許文献１に開示の技術では、固定部材に、光学部材を支持する支持
部が設けられている。
【０００８】
しかしながら、特許文献１に開示の技術では、柔らかい部材や薄いシート状の部材が隔壁部材として使用された場合、拡散部材の重み、隔壁部材の重み、等によって、バックライト装置の光学構造（発光特性）が変化する。例えば、隔壁部材の歪みが生じたり、光源部や隔壁部材が設けられる基板と、隔壁部材との間に隙間（浮き）が生じたりすることにより、バックライト装置の光学構造が変化する。その結果、バックライト装置から発せられた光の輝度ムラや色ムラの悪化、予期せぬ光の漏れ、種々の制御の動作不良、表示画像の画質劣化、等が生じる。
【先行技術文献】
【特許文献】
【０００９】
【特許文献１】特開２００９−１４０７２０号公報
【発明の概要】
【発明が解決しようとする課題】
【００１０】
本発明は、発光装置（発光部）の発光特性の変化を抑制することができる技術を提供することを目的とする。
【課題を解決するための手段】
【００１１】
本発明の発光装置は、
基板と、
前記基板の上に設けられた複数の光源部と、
前記基板の上に設けられた、各光源部を囲む隔壁部材と、
互いに隣接する２つ以上の光源部の間の境界部分に配置され、前記基板と前記隔壁部材とを固定する固定部材と、
を有することを特徴とする。
【００１２】
本発明の画像表示装置は、
発光部と、
前記発光部から発せられた光を変調することで画像を表示する表示部と、
を有し、
前記発光部は、
基板と、
前記基板の上に設けられた複数の光源部と、
前記基板の上に設けられた、各光源部を囲む隔壁部材と、
互いに隣接する２つ以上の光源部の間の境界部分に配置され、前記基板と前記隔壁部材とを固定する固定部材と、
を有する
ことを特徴とする。
【発明の効果】
【００１３】
本発明によれば、発光装置（発光部）の発光特性の変化を抑制することができる。
【図面の簡単な説明】
【００１４】
【図１】実施例１に係る画像表示装置の構成の一例を示す断面図
【図２】実施例１に係る発光部の構成の一例を示す上面図
【図３】実施例１に係る発光部の構成の一例を示す断面図
【図４】実施例１に係る隔壁部材の構成の一例を示す上面図
【図５】実施例１に係る第１の光学部材の構成の一例を示す上面図
【図６】実施例２に係る画像表示装置の構成の一例を示す断面図
【図７】実施例２に係る発光部の構成の一例を示す断面図
【図８】実施例３に係る発光部の構成の一例を示す上面図
【図９】実施例３に係る発光部によって低減される輝度ムラの一例を示す上面図
【図１０】実施例３に係る第１の光学部材の構成の一例を示す断面図
【図１１】実施例１に係る発光部の構成の一例を示す断面図
【図１２】実施例１に係る発光部の構成の一例を示す上面図
【図１３】実施例４に係る発光部の構成の一例を示す断面図
【図１４】実施例５に係る発光部の構成の一例を示す上面図
【発明を実施するための形態】
【００１５】
＜実施例１＞
以下、本発明の実施例１に係る発光装置について説明する。本実施例に係る発光装置は、ローカルディミング制御可能な発光装置である。本実施例に係る発光装置は、例えば、透過型の液晶表示装置用のバックライト装置として使用することができる。なお、本実施例に係る発光装置はバックライト装置に限らない。本実施例に係る発光装置は、発光装置から発せられた光を変調することで画像を表示する画像表示装置であれば、どのような画像表示装置でも使用することができる。例えば、本実施例に係る発光装置は、反射型の液晶表示装置でも使用することができる。本実施例に係る発光装置は、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式ディスプレイ装置でも使用することができる。本実施例に係る発光装置は、広告標識装置、標識表示装置、等の画像表示装置でも使用することができる。本実施例に係る発光装置は、街灯、室内照明、顕微鏡照明などの照明装置として使用することもできる。
【００１６】
図１は、本実施例に係る画像表示装置１００の構成の一例を示す断面図である。図１は、画面（発光部（発光装置）の発光面）に垂直な面によって得られた断面図である。図１に示すように、画像表示装置１００は、発光部１００−１と表示部１００−２とを有する。表示部１００−２は、発光部１００−１から発せられた光を透過することで、画面に画像を表示する。発光部１００−１は、複数の光源部１０１、基板１０２、隔壁部材１０３、第１の光学部材１０４、第１の保持部材１０５、及び、固定部材１０９を有する。表示部１００−２は、第２の光学部材１０６、液晶パネル１０７、及び、第２の保持部材１０８を有する。なお、液晶パネル１０７を表示部１００−２として捉えてもよい。そして、第２の光学部材１０６と、第２の保持部材１０８との少なくとも一方を、発光部１００−１の部材として捉えてもよい。
【００１７】
基板１０２は、例えば、回路が形成された回路基板、画像表示装置１００または発光部１００−１の熱を外部に逃がす放熱基板、及び、放熱基板から回路基板を電気的に絶縁する熱伝導シートを有する。回路基板には、例えば、各光源部１０１を駆動する駆動信号を各光源部１０１に供給する回路が形成されている。放熱基板としては、例えば、金属製の基板が使用される。熱伝導シートは、回路基板と放熱基板に挟まれる。
【００１８】
複数の光源部１０１は、基板１０２の上に設けられている。図２は、発光部１００−１を発光面側から見た上面図である。図２では、第１の光学部材１０４と第１の保持部材１０５が省略されている。本実施例では、複数の光源部１０１は、Ｎ行Ｍ列（ＮとＭは、それぞれ、２以上の整数）のマトリクス状に配置されている。具体的には、図２に示すように、３行３列の９個の光源部１０１が、基板１０２上に設けられている。各光源部には、画面の領域が対応付けられている。例えば、画面の領域を構成する３行３列の９個の分割領域が予め定められており、９個の光源部１０１が、それぞれ、９個の分割領域に対応付けられている。なお、光源部１０１の数および配置は、特に限定されない。例えば、光源
部１０１の数は、９個より多くても少なくてもよい。複数の光源部１０１は、千鳥格子状に配置されていてもよい。
【００１９】
各光源部１０１は、複数の光源を有する。例えば、各光源部１０１は、光の波長（色）が互いに異なる２種類以上の光源を有する。本実施例では、図１，２に示すように、各光源部１０１は、１方向に並べられたＲ光源、Ｇ光源、及び、Ｂ光源の３つの光源を有する。Ｒ光源（図１，２において「Ｒ」が記載された光源）は、赤色の光を発する。Ｇ光源（図１，２において「Ｇ」が記載された光源）は、緑色の光を発する。そして、Ｂ光源（図１，２において「Ｂ」が記載された光源）は、青色の光を発する。光源としては、例えば、発光ダイオード（ＬＥＤ）、有機ＥＬ素子、レーザー素子、冷陰極管、等を使用することができる。なお、光源の数、種類、及び、配置は特に限定されない。例えば、各光源部１０１が有する光源の数は、３つより多くても少なくてもよい。各光源部１０１が有する光源の数が１つでもよい。各光源部１０１が、マトリクス状に配置された複数の光源を有していてもよい。各光源部１０１が、同じ種類の光源を複数有していてもよい。
【００２０】
隔壁部材１０３は、基板１０２上に設けられている。隔壁部材１０３の材料、隔壁部材１０３の形状、等は特に限定されないが、例えば、隔壁部材１０３として、ＰＥＴ（ポリエチレンテレフタレート）製シート、ＰＣ（ポリカーボネート）製シート、等が使用される。隔壁部材１０３は、画面と平行な面において各光源部１０１を囲む形状を有する。画面と平行な面は、「発光面と平行な面」、「基板１０２と平行な面」、等と言うこともできる。隔壁部材１０３は、「複数の光源部１０１のそれぞれについて、その光源部１０１を他の光源部１０１から隔てる部材」と言うこともできる。光源部１０１から隣接する光源部１０１に向かう光は、隔壁部材１０３によって遮られる。それにより、各光源部１０１の発光輝度を個別に制御するローカルディミング制御時に、互いに隣接する分割領域間での発光面輝度（発光部１００−１の発光輝度）の差をさらに高めることができ、表示画像のコントラストをさらに高めることができる。また、表面の光反射率が高い部材を隔壁部材１０３として使用することにより、光源部１０１から隣接する光源部１０１に向かう光を、隔壁部材１０３で発光面側に効率よく反射することができる。その結果、ローカルディミング制御時に、互いに隣接する分割領域間での発光面輝度の差をさらに高めることができ、表示画像のコントラストをさらに高めることができる。
【００２１】
なお、本実施例に係る発光装置（発光部１００−１）が画像表示装置用の発光装置である場合には、画面と平行な面において、隔壁部材１０３の輪郭によって画面の領域（表示領域）が囲まれるように、隔壁部材１０３のサイズと配置を決定することが好ましい。
【００２２】
第１の光学部材１０４は、第１の光学部材１０４に入射した入射光が第１の光学部材１０４を透過する際に、入射光に光学的な変化を与える。第１の光学部材１０４には、例えば、各光源部１０１からの光が入射する。第１の光学部材１０４は、入射光を拡散する拡散部材（拡散板、拡散シート、等）を少なくとも有する。第１の光学部材１０４は、隔壁部材１０３上に設けられている。第１の光学部材１０４の形状は特に限定されないが、本実施例では、板状の部材が第１の光学部材１０４として使用される。
【００２３】
なお、第１の光学部材１０４は、集光部材（集光板、集光シート、等）と偏光部材（偏光板、偏光シート、等）との少なくとも一方をさらに有していてもよい。第１の光学部材１０４は、集光部材と偏光部材以外の光学部材をさらに有していてもよい。集光部材は、様々な入射角度で入射した入射光を、発光部１００−１の発光方向に集光する。偏光部材は、入射光を偏光する。発光部１００−１の発光方向は、発光面に垂直な方向であり、発光部１００−１から表示部１００−２に向かう方向である。画面側の面が画像表示装置１００の正面であるため、発光部１００−１の発光方向は「正面方向」ということもできる。
【００２４】
第１の保持部材１０５は、隔壁部材１０３の縁部と、第１の光学部材１０４の縁部とを保持する支持部材である。
【００２５】
固定部材１０９は、基板１０２、隔壁部材１０３、及び、第１の光学部材１０４を固定する。固定部材１０９は、「基板１０２に対する隔壁部材１０３と第１の光学部材１０４との自由度を抑制する部材」と言うこともできる。本実施例では、図２に示すように、固定部材１０９は、２行２列の互いに隣接する４つの光源部の中央部に設けられている。固定部材１０９による固定の方法の詳細については、後述する。
【００２６】
なお、固定部材１０９の材料は特に限定されない。例えば、固定部材１０９として、樹脂製の部材が使用されてもよいし、金属製の部材が使用されてもよい。また、図２では、全ての上記中央部に固定部材１０９が設けられているが、一部の上記中央部に固定部材１０９が設けられていてもよい。そして、固定部材１０９が設けられていない一部の上記中央部に、光センサが設けられていてもよい。光センサは、例えば、各光源部から発せられた光を検出するために使用される。光センサとしては、光の輝度を検出する輝度センサ、光の色を検出する色センサ、光の輝度と色の両方を検出するセンサ、等を使用することができる。なお、隔壁部材１０３の強度などにも依存するが、９行９列の光源部に対して１つの固定部材１０９が設けられてもよい。
【００２７】
第２の光学部材１０６は、第２の光学部材１０６に入射した入射光が第２の光学部材１０６を透過する際に、入射光に光学的な変化を与える。第２の光学部材１０６には、例えば、各光源部１０１から発せられて第１の光学部材１０４を透過した光が入射する。そして、各光源部１０１から発せられて第１の光学部材１０４と第２の光学部材１０６とを透過した光が、液晶パネル１０７に入射する。第２の光学部材１０６は、隔壁部材１０３に対して正面方向の側に、隔壁部材１０３から離して設けられている。第２の光学部材１０６の形状は特に限定されないが、本実施例では、板状の部材が第２の光学部材１０６として使用される。第２の光学部材１０６は、例えば、拡散部材（拡散板、拡散シート、等）、集光部材（集光板、集光シート、等）、及び、偏光部材（偏光板、偏光シート、等）の少なくともいずれかを有する。なお、第２の光学部材１０６は、拡散部材、集光部材、及び、偏光部材以外の光学部材を有していてもよい。
【００２８】
本実施例では、複数の光源部１０１から発せられた光に、第１の光学部材１０４と第２の光学部材１０６とによって光学的な変化が与えられる。例えば、複数の光源部１０１から発せられた光が、第１の光学部材１０４と第２の光学部材１０６とによって拡散される。それにより、液晶パネル１０７に入射する光の輝度ムラや色ムラを低減することができる。一般的に、第２の光学部材１０６の位置を一定とすると、第１の光学部材１０４が基板１０２（複数の光源部１０１）に近いほど大きく輝度ムラや色ムラを低減することができる。そして、第２の光学部材１０６の位置を一定とすると、第１の光学部材１０４が第２の光学部材１０６に近いほど高い値に表示画像のコントラストを高めることができる。
【００２９】
液晶パネル１０７は、液晶パネル１０７に入射した光を透過することで画面に画像を表示する。液晶パネル１０７は、複数の液晶素子を有する。各液晶素子の透過率は、不図示の画像出力装置から出力された画像データに基づいて制御される。そして、液晶パネル１０７に入射した光が、画像データに基づく透過率で各液晶素子を透過することにより、画面に画像が表示される。
【００３０】
第２の保持部材１０８は、第２の光学部材１０６の縁部と、液晶パネル１０７の縁部とを保持する支持部材である。第２の保持部材１０８により、第２の光学部材１０６と、液晶パネル１０７との間隔が所定の間隔に保たれる。
【００３１】
次に、図３〜５を用いて、固定部材１０９による固定の方法の具体例について説明する。図３は、固定部材１０９が設けられる位置における発光部１００−１の断面図である。図４は、固定部材１０９が設けられる位置における隔壁部材１０３の上面図である。図５は、固定部材１０９が設けられる位置における第１の光学部材１０４の上面図である。
【００３２】
本実施例では、図３に示すように、隔壁部材１０３として、シート状の部材が使用される。隔壁部材１０３の厚さは、例えば、０．１〜２ｍｍ程度である（隔壁部材１０３の厚さはこれに限定されるものではない）。また、図３に示すように、複数の光源部１０１の間の境界部分において、隔壁部材１０３と基板１０２とによって空間が形成されている。そして、図３に示すように、固定部材１０９が、上記空間に設けられている。
【００３３】
固定部材１０９の形状は特に限定されないが、本実施例では、固定部材１０９として、棒状の部材が使用される。そして、本実施例では、固定部材１０９の一端に、基板１０２に固定される第１固定部が設けられている。具体的には、図３に示すように、固定部材１０９の一端に、第１固定部として、長さｓ７の雄ネジ１０９ｅ（第４ネジ部）が形成されている。また、基板１０２には、固定部材１０９が設けられる位置に、深さｓ７の雌ネジ（第３ネジ部）が形成されている。固定部材１０９の雄ネジ１０９ｅは、基板１０２の上記雌ネジに螺合される。それにより、固定部材１０９が基板１０２に固定される。
【００３４】
なお、基板１０２の上記雌ネジの深さは、ｓ７よりも大きければよい。また、本実施例では、第３ネジ部が雌ネジであり、かつ、第４ネジ部が雄ネジである例を説明したが、第３ネジ部が雄ネジであり、かつ、第４ネジ部が雌ネジであってもよい。
【００３５】
なお、基板１０２に対する固定部材１０９の固定の方法は、特に限定されない。例えば、第１固定部として、凸部が形成されていてもよい。そして、凸部を差し込み可能な開口が基板１０２に形成されていてもよい。凸部を開口に差し込み、凸部の突出部（基板１０２（開口）から突出した部分）に、開口から凸部が抜けることを抑制する処理を施してもよい。それにより、基板１０２に固定部材１０９を固定することができる。開口から凸部が抜けることを抑制する処理は、開口よりも大きい部材を突出部に固定する処理、開口よりも大きいサイズに突出部を変形する処理、等である。接着剤を用いて基板１０２に固定部材１０９が固定されてもよい。リベットを用いて基板１０２に固定部材１０９が固定されてもよい。リベットビットなどを用いて、基板１０２に固定部材１０９が溶接（溶着）されてもよい。
【００３６】
本実施例では、固定部材１０９の他端に、隔壁部材１０３および第１の光学部材１０４に固定される第２固定部が設けられている。本実施例では、図４に示すように、隔壁部材１０３には、固定部材１０９が設けられる位置に開口１０３ａが形成されている。具体的には、隔壁部材１０３は、固定部材１０９が設けられる位置に、画面と平行な平面部を有し、開口１０３ａは、平面部に形成される。また、図５に示すように、第１の光学部材１０４にも、固定部材１０９が設けられる位置に開口１０４ａが形成されている。そして、図３に示すように、第２固定部は、隔壁部材１０３の開口１０３ａと、第１の光学部材１０４の開口１０４ａとを通って、隔壁部材１０３および第１の光学部材１０４を挟持する。図３では、第２固定部は、上頭部１０９ａ、通過部１０９ｂ、及び、下頭部１０９ｃを有する。上頭部１０９ａは、第１の光学部材１０４に対して発光方向の下流側から第１の光学部材１０４を抑える部分である。通過部１０９ｂは、開口１０３ａ，１０４ａを通る部分である。下頭部１０９ｃは、隔壁部材１０３に対して発光方向の上流側から隔壁部材１０３を抑える部分である。
【００３７】
開口１０３ａの直径ｈ１、開口１０４ａの直径ｈ２、及び、通過部１０９ｂの直径ｓ２
は、以下の式１の関係を有する。なお、通過部１０９ｂを開口１０３ａ，１０４ａに通すことができれば、開口１０３ａの形状、開口１０３ａのサイズ、開口１０４ａの形状、開口１０４ａのサイズ、通過部１０９ｂの形状、及び、通過部１０９ｂのサイズは特に限定されない。
ｓ２＜ｈ１≒ｈ２  ・・・（式１）
【００３８】
また、上頭部１０９ａの幅ｓ１は、開口１０４ａの直径ｈ２よりも大きく、下頭部１０９ｃの幅ｓ４は、開口１０３ａの直径ｈ１よりも大きい。そして、上頭部１０９ａの下端（発光方向の上流側の端）から下頭部１０９ｃの上端（発光方向の下流側の端）までの距離ｓ３、隔壁部材１０３の厚さｒ１、及び、第１の光学部材１０４の厚さｍ１は、以下の式２の関係を有する。このような関係により、固定部材１０９を、隔壁部材１０３と第１の光学部材１０４にも固定することができる。その結果、基板１０２に対する隔壁部材１０３と第１の光学部材１０４との自由度を抑制することができる。
ｓ３＝ｒ１＋ｍ１  ・・・（式２）
【００３９】
また、図３の例では、隔壁部材１０３の高さｗ１、下頭部１０９ｃの厚さｓ５、固定部材１０９の中間部１０９ｄの長さｓ６、及び、隔壁部材１０３の厚さｒ１は、以下の式３の関係を有する。
ｗ１＝ｓ５＋ｓ６＋ｒ１  ・・・（式３）
【００４０】
なお、隔壁部材１０３と第１の光学部材１０４に対する固定部材１０９の固定の方法は、特に限定されない。例えば、ネジを用いて、隔壁部材１０３と第１の光学部材１０４に固定部材１０９が固定されてもよい。接着剤を用いて、隔壁部材１０３と第１の光学部材１０４に固定部材１０９が固定されてもよい。リベットを用いて、隔壁部材１０３と第１の光学部材１０４に固定部材１０９が固定されてもよい。リベットビットなどを用いて、隔壁部材１０３と第１の光学部材１０４に固定部材１０９が溶接（溶着）されてもよい。
【００４１】
以上述べたように、本実施例によれば、固定部材１０９により、基板１０２、隔壁部材１０３、及び、第１の光学部材１０４が固定される。それにより、第１の光学部材１０４から隔壁部材１０３への力（圧力など）に起因した隔壁部材１０３の変形を抑制することができる。また、隔壁部材１０３への他の外力や衝撃に起因した隔壁部材１０３の変形を抑制することもできる。その結果、発光装置（発光部１００−１）の発光特性の変化を抑制することができる。ひいては、発光装置から発せられた光の輝度ムラや色ムラの悪化の発生、予期せぬ光の漏れの発生、種々の制御の動作不良の発生、等を抑制することができる。さらに、発光装置が画像表示装置で使用される場合には、発光特性の変化を抑制することにより、表示画像の画質の劣化を抑制することができる。
【００４２】
なお、隔壁部材１０３の構造は特に限定されない。例えば、図１１（Ａ），１１（Ｂ）に示すように、隔壁部材１０３と基板１０２とによって空間が形成されていなくてもよい。また、固定部材１０９による固定の方法は特に限定されない。例えば、図１１（Ａ）に示すように、固定部材１０９が、隔壁部材１０３および第１の光学部材１０４の開口を通って、基板１０２に固定されていてもよい。具体的には、固定部材１０９が、隔壁部材１０３に形成された挿通孔１０３ｂ、および、第１の光学部材１０４に形成された開口１０４ａを通って、基板１０２に固定されていてもよい。「固定部材１０９が挿入される挿通
孔１０３ｂ」は、「隔壁部材１０３と基板１０２とによって形成される空間」と言うこともできる。図１１（Ａ）の例では、固定部材１０９と基板１０２とによって、隔壁部材１０３および第１の光学部材１０４が挟持されている。このような構造は、例えば、光源部１０１の放熱を目的として隔壁部材１０３に熱伝導率の高い素材が要求される場合に適用できる。また、このような構造は、光源部１０１が液晶パネル１０７に影響を及ぼす電磁波に対する対策を目的として隔壁部材１０３にシールド性の高い素材が要求される場合にも適用できる。このように、隔壁部材１０３が弾性を有する素材からなる場合、あるいは、隔壁部材１０３が発泡性の素材などの柔らかい素材からなる場合に、隔壁部材１０３の歪みを抑制するという点で、図１１（Ａ）の構造は有効である。また、図１１（Ｂ）に示すように、基板１０２、隔壁部材１０３、及び、第１の光学部材１０４を固定部材１０９が挟持することにより、基板１０２、隔壁部材１０３、及び、第１の光学部材１０４が固定されてもよい。
【００４３】
なお、固定部材１０９の位置は特に限定されない。例えば、図１２（Ａ）に示すように、行方向に並んだ互いに隣接する２つの光源部１０１の間の境界部分に固定部材１０９が設けられてもよい。図１２（Ｂ）に示すように、列方向に並んだ互いに隣接する２つの光源部１０１の間の境界部分に固定部材１０９が設けられてもよい。
【００４４】
＜実施例２＞
以下、本発明の実施例２に係る発光装置について説明する。実施例１では、固定部材が１つの部材によって構成されている例を説明した。本実施例では、固定部材が複数の部材によって構成されている例を説明する。なお、実施例１と同じ部材には実施例１と同じ符号を付し、その説明は省略する。
【００４５】
図６は、本実施例に係る画像表示装置２００の構成の一例を示す断面図である。図６に示すように、本実施例では、固定部材が第１部材２１１と第２部材２１２を有する。
【００４６】
図７は、固定部材が設けられる位置における発光部２００−１の断面図である。本実施例では、図７に示すように、第１部材２１１の一端に、第１固定部として、雄ネジ２１１ｂ（第４ネジ部）が形成されている。また、基板１０２には、固定部材が設けられる位置に、雌ネジ（第３ネジ部）が形成されている。第１部材２１１の雄ネジ２１１ｂは、基板１０２の上記雌ネジに螺合される。それにより、固定部材が基板１０２に固定される。
【００４７】
なお、基板１０２に対する固定部材の固定の方法は、特に限定されない。例えば、固定部材が第３部材を有していてもよい。基板１０２には、固定部材が設けられる位置に開口が形成されていてもよい。そして、第１部材２１１と第３部材により、基板１０２の開口を通って基板１０２が挟持されてもよい。第１部材２１１と第３部材による基板１０２の挟持の方法としては、ネジを用いた方法、ピンを用いた方法、リベットを用いた方法、等を用いることができる。
【００４８】
図７の例では、第１部材２１１のスペーサ部２１１ａの長さｏ３、基板１０２の上端から第１の光学部材１０４の下端までの距離ｗ２、及び、隔壁部材１０３の厚さｒ１は、以下の式４の関係を有する。スペーサ部２１１ａは、第１部材２１１から雄ネジ２１１ｂを除いた部分である。
ｏ３＝ｗ２−ｒ１  ・・・（式４）
【００４９】
そして、本実施例では、図７に示すように、第１部材２１１の他端に、雌ネジ（第１ネジ部）が形成されている。第２部材２１２には、第１部材２１１の雌ネジに螺合される雄
ネジ（第２ネジ部）が形成されている。また、実施例１と同様に、隔壁部材１０３および第１の光学部材１０４には、固定部材が設けられる位置に開口が形成されている。そして、図７に示すように、隔壁部材１０３および第１の光学部材１０４の開口を通って、第１部材２１１の雌ネジに第２部材２１２の雄ネジを螺合することにより、隔壁部材１０３および第１の光学部材１０４が挟持される。
【００５０】
図７に示すように、第１部材２１１の幅（直径）ｏ２は、隔壁部材１０３に形成された開口の直径よりも大きく、第２部材２１２の頭部２１２ａの幅ｏ１は、第１の光学部材１０４に形成された開口の直径よりも大きい。このような関係により、第１部材２１１と第２部材２１２で、隔壁部材１０３と第１の光学部材１０４を挟持することができる。即ち、固定部材を、隔壁部材１０３と第１の光学部材１０４にも固定することができる。その結果、基板１０２に対する隔壁部材１０３と第１の光学部材１０４との自由度を抑制することができる。
【００５１】
なお、本実施例では、第１ネジ部が雌ネジであり、かつ、第２ネジ部が雄ネジである例を説明したが、第１ネジ部が雄ネジであり、かつ、第２ネジ部が雌ネジであってもよい。また、隔壁部材１０３と第１の光学部材１０４に対する固定部材１０９の固定の方法は、特に限定されない。例えば、ピンを用いて、第１部材２１１と第２部材２１２が結合されてもよい。リベットを用いて、第１部材２１１と第２部材２１２が結合されてもよい。
【００５２】
以上述べたように、本実施例によれば、固定部材により、基板１０２、隔壁部材１０３、及び、第１の光学部材１０４が固定される。それにより、発光装置（発光部２００−１）の発光特性の変化を抑制することができる。また、本実施例によれば、複数の部材によって固定部材が構成されている。それにより、発光装置の製造コストの削減が可能となる。例えば、実施例１では、固定部材の形状が複雑であるため、固定部材としてカスタム品を用意する必要がある。一方、本実施例では、市販品を組み合わせて固定部材を実現することができる。例えば、第１部材２１１として、市販のスペーサを使用することができ、第２部材２１２として、市販のネジ、ピン、リベット、等を使用することができる。市販品を利用することにより、発光装置の製造コストを低減することができる。また、複数の部材によって固定部材を構成することにより、発光装置の組み立て、及び、発光装置の分解を容易に行うことができる。
【００５３】
＜実施例３＞
以下、本発明の実施例３に係る発光装置について説明する。本実施例では、発光装置から発せられた光の輝度ムラや色ムラをより低減することができる構成について説明する。発光装置が画像表示装置で使用される場合には、発光装置から発せられた光の輝度ムラや色ムラを低減することにより、表示画像の画質が向上される。なお、本実施例では、実施例２の構成に本実施例の特徴的な構成を組み合わせた例を説明するが、本実施例の特徴的な構成は、実施例１の構成に組み合わせることもできる。また、実施例１，２と同じ部材には実施例１と同じ符号を付し、その説明は省略する。
【００５４】
図８は、本実施例に係る発光装置の構成の一例を示す上面図である。図８では、第１の光学部材は省略されている。実施例１，２では、固定部材が第１の光学部材から発光方向側に突出している（図１，６）。この場合、各光源部１０１から発せられて第１の光学部材を透過した光の一部が、固定部材で反射したり、固定部材に吸収されたりする。その結果、図９に示すように、発光装置から発せられた光の輝度ムラや色ムラが生じる。例えば、固定部材が設けられている位置で輝度が低下する輝度ムラが生じる。このような輝度ムラは、第１の光学部材から発光面（例えば、第２の光学部材１０６）までの距離を増加することで低減することができる。しかしながら、第１の光学部材から発光面までの距離の増加は、装置（発光装置、画像表示装置、等）の厚型化、表示画像のコントラストの低下
、等を招くため、好ましくない。
【００５５】
そこで、本実施例では、第１の光学部材から発光方向側に固定部材が突出しない構造を採用する。例えば、第１の光学部材に、固定部材が第１の光学部材から突出しないように、凹部を形成する。凹部は、固定部材が設けられる位置に形成される。図１０は、本実施例に係る第１の光学部材３０４の構成の一例を示す断面図である。図１０は、固定部材が設けられる位置における断面図である。本実施例では、図１０に示すように、第１の光学部材３０４に、第２部材３１２の頭部３１２ａと同様の形状を有する凹部３０４ａが形成される。それにより、第２部材３１２を第１部材に結合した際に、固定部材（第２部材３１２）が第１の光学部材３０４から突出しなくなる。その結果、発光装置から発せられた光の輝度ムラや色ムラをより低減することができる。
【００５６】
なお、固定部材が第１の光学部材から発光方向側に突出しない構造であれば、どのような構造が採用されてもよい。例えば、固定部材が第１の光学部材から発光方向側に突出しないように、固定部材が隔壁部材と第１の光学部材とに溶接（溶着）されてもよい。固定部材を隔壁部材と第１の光学部材とに溶接した後に、第１の光学部材から発光方向側に突出している部分（突出部）が、固定部材から除去されてもよい。突出部は、例えば、溶解、研磨、切削、等によって除去される。
【００５７】
なお、固定部材の上面（発光方向側の面）に反射シートを貼り付けたり、固定部材の材料として、第１の光学部材と同様の材料（例えば樹脂）を用いたりすることが好ましい。また、第２部材として、皿ネジ、六角ボルト、軽天ビス、等を使用することが好ましい。それにより、発光装置から発せられた光の輝度ムラや色ムラをより低減することができる。例えば、固定部材の材料として第１の光学部材と同様の材料を用いることにより、第１の光学部材と同様の光学性能を有する固定部材を実現することができるため、輝度ムラや色ムラをより低減することができる。
【００５８】
以上述べたように、本実施例によれば、第１の光学部材から発光方向側に固定部材が突出しないため、発光装置から発せられた光の輝度ムラや色ムラをより低減することができる。
【００５９】
＜実施例４＞
以下、本発明の実施例４に係る発光装置について説明する。実施例１，２，３では、固定部材が隔壁部材と光学部材の開口を通って隔壁部材と光学部材の両方を挟持する例を説明した。本実施例では、固定部材が隔壁部材の開口を通って隔壁部材を挟持するが、光学部材に開口が形成されず、固定部材が光学部材を下から固定および支持する例を説明する。なお、実施例１，２，３と同じ部材には実施例１と同じ符号を付し、その説明は省略する。
【００６０】
図１３（Ａ），１３（Ｂ）は、本実施例に係る発光部の構成の一例を示す断面図である。実施例１，２，３では光学部材に開口を形成したが、光学部材の多くは樹脂製の板材であり、樹脂製の板材に開口を形成するためには切削加工が必要となる。加工に起因した傷、打痕、等は光学特性に悪影響を及ぼすため、傷、打痕、等が生じないように加工を行う必要がある。しかしながら、傷、打痕、等が生じないような加工は、歩留まりの低下、コストアップ、等を招く。また、複数の固定部材を使用する場合には、複数の固定部材が光学部材の複数箇所を拘束する。そのため、光学部材に開口を形成する方法では、各固定部材の寸法管理や位置管理を厳密に行わないと、光学部材に対する複数の固定部材の固定が、光学部材の歪みの発生を招いたり、光学特性に悪影響を及ぼしたりすることがある。
【００６１】
そこで、本実施例では、光学部材に開口を形成しないことで光学部材の歪みを抑制する
固定構造を採用する。図１３（Ａ）では、光学部材１０４は、固定部材１０９が有する第２部材２１２の頭部２１２ａの上に載置される。換言すると、第２部材２１２の頭部２１２ａは、固定部材１０９が有する第１部材２１１のスペーサ部２１１ａに隔壁部材１０３を固定するとともに、光学部材１０４を下から支持する。「隔壁部材１０３の歪みを抑制する」という効果に対しては、頭部２１２ａが光学部材１０４を固定することと、頭部２１２ａが光学部材１０４を下から支持することとは略同義を有する。なお、ここでの上下方向は、図１３（Ａ）の上下方向と同じである。そのため、「光学部材１０４を下から支持する」とは、「光源部１０１側から光学部材１０４を支持する」ということを意味する。画像表示装置の設置態様として、一般的に、液晶パネル１０７を上に向けて設置する平置き、または、液晶パネル１０７を使用者に向けて設置する縦置きが採用される。そのため、頭部２１２ａが光学部材１０４を光源部１０１側から支持すれば、隔壁部材１０３の歪みを十分に抑制することができる。また、光学部材１０４の歪みも十分に抑制することができる。
【００６２】
もちろん、頭部２１２ａと光学部材１０４とが互いに接する箇所において、光学部材１０４が頭部２１２ａに接着されて固定されてもよい。接着方法として、接着剤を用いた接着、粘着テープを用いた固着、等を用いることができる。その場合には、接着剤、粘着テープ、等が固定部材１０９の寸法差を吸収する役目を果たす。また、本実施例では、固定部材１０９が複数の部材によって構成されている例で説明したが、固定部材１０９が１つの部材によって構成されてもよい。また、本実施例では、第２部材２１２をネジとして記載したが、第２部材２１２はネジに限られない。ネジの頭部２１２ａの形状も球面状（断面図では円弧状）に限られない。例えば、頭部２１２ａの形状は、平坦状であってもよいし、その他の形状であってもよい。
【００６３】
次に、図１３（Ｂ）では、光学部材１０４は、固定部材１０９が有する第２部材２１２の頭部２１２ａの上に隙間を空けて配置される。したがって、図１３（Ａ）では、頭部２１２ａは光学部材１０４を密着して支持したが、図１３（Ｂ）では、頭部２１２ａは光学部材１０４の下に隙間を設けて配置される。光学部材１０４は、図１に示したように第１の保持部材１０５によって保持されて固定される。図１３（Ｂ）では、光学部材１０４が隙間の分だけの撓みを許容して保持される。図１３（Ｂ）の構造は、「撓み量を（隙間の分だけ）抑制する構成」と言うこともできる。隔壁部材１０３が歪まないという点で、図１３（Ａ）の構造でも図１３（Ｂ）の構造でも同様の効果が得られる。
【００６４】
光学部材１０４は頭部２１２ａの上に隙間を空けて配置される。そのため、第１部材２１１のスペーサ部２１１ａの長さｔ１、第２部材２１２の頭部２１２ａの長さ（厚さ）ｔ２、基板１０２の上端から光学部材１０４の下端までの距離ｗ３、及び、隔壁部材１０３の厚さｒ１は、以下の式５の関係を有する。
ｗ３＞ｔ１＋ｒ１＋ｔ２  ・・・（式５）
【００６５】
式５で表される隙間（ｗ３−ｔ１＋ｒ１＋ｔ２）は、特に限定されない。但し、光学部材１０４に何らかの外力が加わることで光学部材１０４が大きく撓まないようにするため、上記隙間は最大で５ｍｍ程度であることが望ましい。固定部材１０９を光学部材１０４に密着させるか否か、固定部材１０９と光学部材１０４の間の隙間を設ける場合にどの程度の隙間を設けるか、等は適宜決定される。例えば、画面のサイズ、光学部材１０４のサイズ、光学部材１０４の厚さ、等に基づいて、それらが適宜決定される。「固定部材１０９を光学部材１０４に密着させるか否か」は「図１３（Ａ）の構造と図１３（Ｂ）の構造とどちらを採用するか」とも言え、「固定部材１０９と光学部材１０４の間の隙間を設ける場合」は「図１３（Ｂ）の構造を採用する場合」とも言える。
【００６６】
＜実施例５＞
以下、本発明の実施例５に係る発光装置について説明する。本実施例では、隔壁部材１０３の歪みをより抑制することができ、且つ、基板１０２に対する隔壁部材１０３（隔壁部材１０３の下部）の浮きをより抑制することができる固定部材１０９の配置と数について説明する。
【００６７】
図１４は、本実施例に係る発光部の構成の一例を示す上面図である。図１４では、行方向と列方向のそれぞれにおいて、複数の固定部材１０９が基板１０２（基板１０２、隔壁部材１０３、または、光学部材１０４）の中心に対して対称に配置され、当該複数の固定部材１０９が等間隔に配置される。ここでの行方向は図１４の横方向（左右方向）と同じであり、列方向は図１４の縦方向（上下方向）と同じである。図１４では、２行２列の光源部１０１の中央部に固定部材１０９が設けられているが、これに限られない。行方向または列方向に並んだ２つの光源部１０１の間の境界部分に固定部材１０９が設けられてもよい。その場合であっても、行方向と列方向のそれぞれにおいて、複数の固定部材１０９が対称かつ等間隔に配置される。
【００６８】
装置構造として、１つの隔壁部材１０３の中央に１つの固定部材１０９を配置する構造が考えられる。しかしながら、隔壁部材１０３の歪み、及び、隔壁部材１０３の下部と基板１０２との間の浮きをより抑制するためには、１つの隔壁部材１０３に対して上記「対称かつ等間隔」の配置を満たす４つ以上の固定部材１０９を使用することが好ましい。液晶パネル１０７（画面）の形状は一般的に正方形ではなく長方形である。そのため、基板１０２、隔壁部材１０３、光学部材１０４、等の形状（画面に垂直な方向から見た場合の形状）も必然的に長方形となる。従って、行方向と列方向のうちの長辺方向における固定部材１０９の数が、行方向と列方向のうちの短辺方向における固定部材１０９の数よりも多いのが妥当である。長辺方向は、基板１０２、隔壁部材１０３、光学部材１０４、液晶パネル１０７、等などの長辺に沿った方向であり、短辺方向は、基板１０２、隔壁部材１０３、光学部材１０４、液晶パネル１０７、等などの短辺に沿った方向である。
【００６９】
さらに、隔壁部材１０３の歪み、及び、隔壁部材１０３の下部と基板１０２との間の浮きをより抑制するためには、以下の条件を満たすように複数の固定部材１０９が配置されることが好ましい。以下の条件において、「ｍ」は行方向（横方向）における固定部材１０９の数であり、「ｎ」は列方向（縦方向）における固定部材１０９の数である。
条件：比（ｎ−１）：（ｍ−１）が光学部材１０４（基板１０２、隔壁部材１０３、光学部材１０４、または、液晶パネル１０７）の縦横比と略同一である。
【００７０】
図１４では、基板１０２のサイズ、隔壁部材１０３のサイズ、光学部材１０４サイズ、及び、液晶パネル１０７のサイズが略同一であり、それらの縦横比はおおよそ２：３である。そして、行方向において４つの固定部材１０９が配置されており、列方向において３つの固定部材１０９が配置されている。そのため、（ｎ−１）：（ｍ−１）＝（３−１）：（４−１）＝２：３が実現される。もちろん、固定部材１０９の数と配置はこれに限られない。例えば、行方向において７つの固定部材１０９が配置され、列方向において５つの固定部材１０９が配置されてもよい。行方向において１０個の固定部材１０９が配置され、列方向において７個の固定部材１０９が配置されてもよい。それらの場合であっても、（ｎ−１）：（ｍ−１）＝２：３が実現される。図１４では、６行４列の２４個の光源部１０１からなる各領域の中央部に、固定部材１０９が配置されている。そして、横方向において互いに隣接する２つの固定部材１０９の間隔は、縦方向において互いに隣接する２つの固定部材１０９の間隔よりも長い。
【００７１】
以上述べたように、本実施例によれば、固定部材１０９の数と配置として上述のような数と配置を採用することにより、隔壁部材１０３の歪み、及び、隔壁部材１０３の下部と基板１０２との間の浮きをより抑制することができる。
【００７２】
以上、本発明の好ましい実施例について説明したが、本発明はこれらの実施例に限定されず、その要旨を逸脱しない範囲内で種々の変形及び変更が可能である。
【符号の説明】
【００７３】
１００，２００：画像表示装置  １００−１，２００−１：発光部
１００−２：表示部  １０１：光源部  １０２：基板  １０３：隔壁部材
１０４，３０４：第１の光学部材  １０９：固定部材
【図１】
2017037832.tif 000003
【図２】
2017037832.tif 000004
【図３】
2017037832.tif 000005
【図４】
2017037832.tif 000006
【図５】
2017037832.tif 000007
【図６】
2017037832.tif 000008
【図７】
2017037832.tif 000009
【図８】
2017037832.tif 000010
【図９】
2017037832.tif 000011
【図１０】
2017037832.tif 000012
【図１１】
2017037832.tif 000013
【図１２】
2017037832.tif 000014
【図１３】
2017037832.tif 000015
【図１４】
2017037832.tif 000016